(57)【要約】【課題】垂直収納ベッドが作るスペースを有効活用できるようベッド以外の各種家具機能物を選択でき、良好な使用環境を実現でき、設置安定性が高く、組み立て容易な構成を提案する。【解決手段】ベッド底板(21)に学習机(9)を取付け、収納部内下端に両側板(33,33)、底板(32)、背板(31)を取付け、両側板にベッド回動軸(24,24)を支える軸受穴(34,34)とダンパー(7,7)を設け、底板面にサポート板(5)を取付け、サポート板は天板(91)の長さに等しい水平部(52)と、該水平部の先端からベッド回動軸の高さを有する垂直部(53)とを具え、収納部開口上縁にストッパー(4)を設け、天板の一端をベッド底板裏面に、又はベッド底板と平行に設ける機能パネル上にヒンジ(6)を介して取付け、天板の他端とサポート板の垂直部先端との間に脚板(92)を取付ける。ベッドを床面に引き出すと学習机が折り畳まれてベッドの下に隠れ、ベッドを収納部に収納すると学習机が収納部前面に出現する。【選択図】図２
2009189542.tif 000002
【特許請求の範囲】
【請求項１】
不使用時には床に設置した収納部へ垂直縦長に収納されるベッドの底板裏面に、ベッド以外の他の家具機能物を折り畳み可能に組み付けてなる垂直収納ベッドであって、
前記収納部内下端には両側板、底板及び背板を有する支持枠が設けられ、該支持枠の両側板にはベッドの回動軸を支える軸受穴と、両側板上端からベッド底板両脇へ伸びるダンパーと、該支持枠の底板面には収納部前方の床面上へ伸びるサポート板と、収納部前面開口部上縁にはストッパーが設けられ、
前記サポート板は、前記家具機能物の横部材の長さに等しい長さを有する水平部と、該水平部の先端からベッドの回動軸の高さまで立ち上がる垂直部を具え、
前記横部材の一端をベッド底板裏面にヒンジを介して取り付け、該横部材の他端と前記サポート板の垂直部先端との間を所定長の脚板を介して連結することにより、
ベッドを床面に引き出すと前記家具機能物が折り畳まれてベッドの下に隠れ、ベッドを収納部に収納すると、該機能物が収納部前面空間に出現することを特徴とする他機能付き垂直収納ベッド。
【請求項２】
前記家具機能物は、学習机、リビングルーム用センターテーブル、チェア付きカウンターテーブル、及びスツール付き鏡台のうちのいずれか一である、請求項１記載の他機能付き垂直収納ベッド。
【請求項３】
前記横部材のベッド底板裏面の取り付け箇所とベッド底板との間に「機能パネル」を介在させて、当該横部材をベッドの底板裏面にではなく機能パネルに取り付け、
当該機能パネルが、家具機能物の種類・形状によらない共通の箇所及び留め方でベッド底板裏面に固定される、請求項１又は２記載の他機能付き垂直収納ベッド。
【請求項４】
支持枠及びダンパーを具えた収納部にベッドを組み付ける第１工程、各種家具機能物に適合する機能パネル及びサポート板を当該家具機能物に組み付けて中間組立て品とする第２工程、及び顧客により選定される家具機能物を含む中間組立て品をベッド底板裏面に取り付ける第３工程を少なくとも含む、請求項３記載の他機能付き垂直収納ベッドを製造する方法。
【発明の詳細な説明】
【技術分野】
【０００１】
本発明は垂直収納ベッドに関する。
【背景技術】
【０００２】
従来からある垂直収納ベッドは、ベッド収納時に占有スペースを節減することができるが、ベッドを本来の状態で使用する際の床面スペースを確保する必要から、空いたスペースを寝室用以外に転用することに抵抗があり、折角の省スペース効果が有効に活かされないという問題がある。
【０００３】
下記特許文献１及び２はそのような問題に対する解決策を提案する。すなわちこれらの文献に記載された発明では、ベッドは収納時に横長に立てて収納部に収納され、垂直になっているベッドの底板の一部又は水平に吊り下げられた別製の台を、水平なテーブル状に引き出して学習机又はパソコン作業台として利用する。なお特許文献２の発明では、台の上面とベッド底面との間に間隔を設け、台の上にパソコン等を置いたままベッドを引き出すことができるようになっている。
【０００４】
しかしながら、いずれの文献においても、ベッド以外の家具としては学習机又はパソコン作業台しか提案されておらず、他に選択の余地がない。また、机又は作業台の前縁がベッドの底板面と一致し、使用者はベッドの底板面に向き合うので窮屈な感じは否めない。しかも、机又は作業台の使用により収納部本体を転倒させ易くする方向へ回転力が働くにも拘わらず、机等の下面は床から離れていて、床面に対してその回転力を打ち消す「突っかい棒効果」を期待できないので、安全のためには収納部を床面か壁面に固定する必要がある。
【０００５】
【特許文献１】特開２００６−８１８２８号公報
【特許文献２】特表２００５−５２２２３５号公報
【発明の開示】
【発明が解決しようとする課題】
【０００６】
本発明は上記のような問題に鑑みてなされたもので、垂直収納ベッドにより作り出されるスペースを寝室以外の用途に有効に活用できるよう、ベッド以外の各種家具機能物を選択でき、ゆったりとした使用環境を実現できること、設置安定性を高めること、並びに発明品を組み立て容易にする構成を提案する。
【課題を解決するための手段】
【０００７】
上記の目的を達成するため、請求項１に係る発明は、不使用時には床に設置した収納部へ垂直縦長に収納されるベッドの底板裏面に、ベッド以外の家具機能物を折り畳み可能に組み付けてなる他機能付き垂直収納ベッドに関する。
【０００８】
前記収納部内下端には両側板、底板及び背板を有する支持枠が設けられ、該支持枠の両側板にはベッドの回動軸を支える軸受穴と、両側板上端からベッド底板両脇へ伸びるダンパーと、該支持枠の底板面には収納部前方の床面上へ伸びるサポート板と、収納部前面開口部上縁にはストッパーが設けられ、前記サポート板は、前記家具機能物に含まれる横部材(学習机の天板や椅子の上面)の長さに等しい長さを有する水平部と、該水平部の先端からベッドの回動軸の高さまで立ち上がる垂直部を具え、前記横部材の一端をベッド底板裏面にヒンジを介して取り付け、該横部材の他端と前記サポート板の垂直部先端との間を所定長の脚板を介して連結する。これにより、ベッドを床面に引き出すと前記家具機能物が折り畳まれてベッドの下に隠れ、ベッドを収納部に収納すると、前記横部材が水平になって当該機能物が収納部前面の空間に出現する。
【０００９】
上記の他機能付き垂直収納ベッドにおいて、ダンパーを構成するバネはベッドを床面に倒した状態で最大に伸びてベッド底板に引っ張り力を及ぼし、ベッドの重量を打ち消してその引き起こしを容易にする。上記サポート板は、選択される家具機能物の種類に合わせて位置を変更する必要があるので、支持枠の底板上にボルトで取り付けられる。支持枠中の背板は両側板を連結一体化して補強する。また前記脚板の長さは、ベッド底板上の回動軸と横部材取り付け位置の間の距離に等しい。こうすると、ベッドの回動角度の如何にによらず常に横部材が水平に保たれる。
【００１０】
請求項１の他機能付き垂直収納ベッドでは、当該家具機能物の使用者は、その前方にベッドの底面で遮られない空間を与えられる。また、当該家具機能物の使用に伴って生じる収納部を転倒させる向きの回転力が、サポート板の水平部により受け止められて、転倒が防止される。
【００１１】
本発明の請求項２に係る発明は、前記ベッド以外の家具機能物が、学習机、リビングルーム用センターテーブル、チェア付きカウンターテーブル、及びスツール付き鏡台のうちのいずれか一である他機能付き垂直収納式ベッドに関する。
【００１２】
この請求項は、前記他機能付き垂直収納ベッドに組み込まれるベッド以外の家具機能物の種類を明確にする。学習机は、他の機能物と同様に、脚の役割を果たすサポート板に連結される。機能パネルを採用する場合はその背後に照明灯を取り付けても良い。リビングルーム用センターテーブルは、学習机よりも背の低い単一のテーブルで、ソファは付属していない。チェア付きカウンターテーブルは、前記センターテーブルよりは背が高いテーブルと、これに簡単なチェアを付属させたものである。チェアの構造は背の低い机と同じである。スツール付き鏡台は機能パネルの採用を前提とする家具装置であり、機能パネルの中にヒンジを介して回転鏡がはめ込まれており、これを開くと鏡台が出現する。鏡を開いた後のスペースには照明灯が姿を現す。これに、上面にクッションを有するスツールが付属する。
【００１３】
上記各家具機能物において、机、テーブル、チェア、スツールは、いずれも使用時に水平を要求される横部材を含み、その一端が、ベッドの底板裏面のベッドの回動軸から所定の距離だけ離れた位置に取り付けられる。そして横部材の他端は、当該部材を水平に保てるような長さの脚板を介して、サポート板垂直部の先端に連結される。ここに述べた構造は請求項２に挙げた各家具機能物の、回転鏡以外のものについて共通である。
【００１４】
請求項３に係る他機能付き垂直収納ベッドでは、横部材のベッド底板裏面の取り付け箇所とベッド底板との間に、一枚のパネル(「機能パネル」と称する)を介在させ、横部材をベッドの底板裏面にではなく、当該パネルに取り付けるようにし、当該機能パネルを、家具機能物の種類・形状によらない共通の箇所及び留め方でベッド底板裏面に固定する。
【００１５】
この機能パネルを用いることにより、収納部・ベッドの製造工程と家具機能物の付加工程とを分離することができる。すなわち、ベッドと収納部をそれぞれ専門工場で製造し組み立て、それとは別に機能パネル、家具機能物及びサポート板を中間的に組み立てて中間組み立て品とし、最終的に、顧客により選択される中間組み立て品を共通のやり方でベッド・収納部に組み付けて最終製品とする生産方式が可能になる。
【００１６】
本発明の請求項４に係る発明は、前記他機能付き垂直収納ベッドを製造する方法に関する。すなわちこの製造方法は、支持枠及びダンパーを具えた収納部にベッドを組み付ける第１工程、各種家具機能物に適合する機能パネル及びサポート板を当該家具機能物に組み付けて中間組立て品とする第２工程、及び、顧客により選定された家具機能物を含む中間組立て品をベッド底板裏面に取り付ける第３工程を少なくとも含む。
【発明の効果】
【００１７】
(1) 請求項１の発明によれば、ベッドを垂直縦長の姿勢で収納部へ収納するので、ベッド裏に取り付ける家具機能物の、ベッド裏面からの出っ張り長さを大きく取ることができる。そのため、当該家具機能物の使用者はベッドの裏面と平行の向きに座ることになり、前方に開けた空間を持つことができる。その空間を利用して書棚やソファ等を置くとすれば、かなり本格的な書斎空間や応接間空間を持つことができる。
【００１８】
(2) さらに、収納部は、底面から床面上へ伸びるサポート板を具え、しかもサポート板の垂直部の先端に家具機能物の重量の一部を負担させるので、これが「突っかい棒効果」を発揮する。したがって、収納部を転倒させる向きに作用する回転力が打ち消され、収納部を床面や壁面へ固定しなくても転倒の危険がない。
【００１９】
(3) 請求項２の発明によれば、椅子とテーブルのような組合せ家具を含む多種類の家具機能物を選択し利用することができる。
【００２０】
(4) 請求項３の発明によれば、機能パネルを設けたことにより、収納部の製造工程と家具機能物の付加工程とを分離することが可能になり、請求項４に述べるように、顧客の選択を確認した上で最終製品を組み立てることができるので、生産工程及び仕掛・完成品在庫を合理的に管理することができる。
【発明を実施するための最良の形態】
【００２１】
以下、実施例により本発明の好適な実施形態について説明する。
【実施例１】
【００２２】
図１は、請求項１の発明に関する一実施例として、家具機能物として学習机９を採用する場合を示す正面図(ベッド収納状態)、図２及び図３は、この実施例においてベッド２を収納部１に収納した状態、及びベッド２を床面に引き出した状態を示す側断面図(図１中のA-A'矢視図)、図４は収納部１内に設けられる耐力部材(支持枠３、サポート板５）を示す斜視図である。
【００２３】
収納部１は木製で、その内側下端には、両側板３３、３３、底板３２及び背板３１を有する支持枠３が取り付けられる。底板３２は収納部１の底面となり、直接床面に接する。両側板３３、３３には、その上端とベッド底板２１の両脇との間にベッドの引き起こしを助けるダンパー７、７が、またベッド収納用の回動軸２４を支持する軸受孔３４、３４が設けられる。背板３１は、両側板３３、３３を連結一体化して剛性を高める。収納部１の前面開口部にはストッパー４が設けられる。
【００２４】
サポート板５が、前記支持枠３の底面板３２上にボルトで取り付けられる。サポート板５は、収納部の短辺に沿って床面上に伸び、家具機能物の横部材(この場合は学習机９の天板９１)に等しい長さの水平部５２と、水平部５２の先端から前記ベッド２の回動軸２４の高さまで垂直に立ち上がる垂直部５３とを有する。支持枠３及びサポート板５は薄くて丈夫な鋼板製が好ましい。ベッド２の底板２１に前記天板９１の一端をヒンジ６を介して取り付け、前記サポート板５の垂直部５３の先端と天板９１の他端との間に、所定長さの脚板９２をヒンジ６で取り付けることにより、天板９１が常に水平に保たれる。ベッド２を倒して床面に引き出した状態では、学習机９が折り畳まれてベッド２の下に隠れ、ベッド２を収納部１に収納すると、学習机９が展開されて使用可能な状態で収納部１の前面空間に出現する。
【００２５】
上記実施例に係る他機能付き垂直収納ベッドは、学習机９の使用者が、その前方にベッド２の底面２１で遮られない開けた空間を与えられる点、及び学習机９の使用に伴って生じる収納部１を転倒させる向きの回転力が、サポート板５の水平部５２により受け止められて転倒が防止される点が特徴である。なお、請求項１の発明は上記の学習机だけでなく請求項２に記載した他の家具機能物にも適用可能であるが、これらに関する実施例は、以下の実施例３〜５から機能パネルを除いたものと同じであるから、各々の記載を省略する。
【実施例２】
【００２６】
図５は、請求項３の発明に関する第１の実施例として、学習机９を機能パネル８１に取り付けた場合を示す正面図(ベッド収納状態)、図６及び図７は、この実施例においてベッド２を収納部１に収納した状態、及びベッド２を床面に引き出した状態を示す側断面図(図５中のB-B'矢視図)である。なお機能パネル８１は学習机専用の機能パネルである。
【００２７】
本実施例に係る家具付き垂直収納ベッドでは、ベッド底板２１の裏面に、機能パネル８１が所定間隔を隔てて平行に取り付けられる。機能パネル８１は、学習机専用の機能パネルであって、折り畳んだ状態の学習机９の天板９１を平らに収納できる窪み空間を具える。
【００２８】
本実施例では実施例１と異なり、機能パネル８１の窪み空間縁部に学習机９の天板９１の一端が取り付けられ、天板９１の他端にサポート板５の垂直部５３の先端が取り付けられて中間組み立て品となり、その後、収納部に組み付けられたベッドの底板裏面に当該中間組み立て品が取り付けられて完成品となる。
【実施例３】
【００２９】
図８は、請求項３の発明に関する第２の実施例として、リビングルーム用センターテーブル１０を、機能パネル８２に取り付けた状態を示す斜視図(ベッド収納状態)である。なお機能パネル８２は、リビングルーム用センターテーブル専用の機能パネルである。この場合の側断面図は、上記図６、図７との違いが学習机９とセンターテーブル１０の高さの違いのみであるので、記載を省略する。
【実施例４】
【００３０】
図９は、請求項３の発明に関する第３の実施例として、チェア付きカウンターテーブル１１を機能パネル８３に取り付けた状態を示す斜視図(ベッド収納状態)、図１０はこれを横から見た側断面図である。機能パネル８３はチェア付きカウンターテーブル専用の機能パネルである。なお図１０は、カウンターテーブル１１とチェア１１１の断面が一緒に示されているほかは図６と同様である。
【実施例５】
【００３１】
図１１は、請求項３の発明に関する第４の実施例として、スツール付き鏡台１２を機能パネル８４に取り付けた場合を示す斜視図(ベッド収納状態)である。機能パネル８４はスツール付き鏡台専用の機能パネルである。なお図中の符号１２１は回転鏡、１２２はクッション付きスツール、１２３は照明灯を表す。
【図面の簡単な説明】
【００３２】
【図１】請求項１の発明に関する一実施例として、学習机を取り付けた他機能付き垂直収納ベッドを示す正面図(ベッド収納状態)である。
【図２】図１の実施例におけるベッド収納状態を示す側断面図である。
【図３】図１の実施例においてベッドを引き出した状態を示す側断面図である。
【図４】図１の実施例における耐力部材(支持枠、サポート板)を示す斜視図である。
【図５】請求項２の発明に関する一実施例として、学習机を機能パネルに取り付けた場合を示す正面図(ベッド収納状態)である。
【図６】図５の実施例におけるベッド収納状態を示す側断面図である。
【図７】図５の実施例においてベッドを引き出した状態を示す側断面図である。
【図８】請求項２の発明に関する他の実施例として、リビングルーム用センターテーブルを機能パネルに取り付けた状態を示す斜視図(ベッド収納状態)である。
【図９】請求項２の発明に関するさらに他の実施例として、チェア付きカウンターテーブルを機能パネルに取り付けた場合を示す斜視図(ベッド収納状態)である。
【図１０】図９の実施例におけるベッド収納状態を示す側断面図である。
【図１１】請求項２の発明に関する別の実施例として、スツール付き鏡台を機能パネルに取り付けた場合を示す斜視図(ベッド収納状態)である。
【符号の説明】
【００３３】
１  収納部
２  ベッド
２１  ベッド底板
２２  マットレス
２３  ベッドフレ−ム
２４  回動軸
２５  ベッド脚
３  支持枠
３１  背面板
３２  底面板
３３  側面板
３４  軸受孔
４  ストッパー
５  サポート板
５１  取り付け部
５２  水平部
５３  垂直部
６  ヒンジ
７  ダンパー
８  機能パネル
８１  学習机専用機能パネル
８２  リビングルーム用センターテーブル専用機能パネル
８３  チェア付きカウンターテーブル専用機能パネル
８４  スツール付き鏡台専用機能パネル
９  学習机
９１  天板
９２  脚板
９３  照明灯
１０  リビングルーム用センターテーブル
１１  チェア付きカウンターテーブル
１１１  チェア
１２  スツール付き鏡台
１２１  回転鏡
１２２  スツール
１２３  鏡台照明灯
【図１】
2009189542.tif 000003
【図２】
2009189542.tif 000004
【図３】
2009189542.tif 000005
【図４】
2009189542.tif 000006
【図５】
2009189542.tif 000007
【図６】
2009189542.tif 000008
【図７】
2009189542.tif 000009
【図８】
2009189542.tif 000010
【図９】
2009189542.tif 000011
【図１０】
2009189542.tif 000012
【図１１】
2009189542.tif 000013